(57)【要約】  移動無線通信装置において複数の無線ベアラ間でＵＬリソースを割当てるために移動無線通信ネットワーク装置において使用するスケジューリング情報を提供する方法であって、各無線ベアラが優先ビットレートを有し、少なくとも１つの無線ベアラが保証ビットレート無線ベアラから成る。移動無線通信装置は複数の無線ベアラの各々について、一定期間に伝送された平均ビットレートを推測し、下記のパラメータ、すなわち各保証ビットレート無線ベアラについて、最大ビットレートに達しているか否か；各保証ビットレート無線ベアラについて、優先ビットレートに達しているか否か；前記期間内に前記保証ビットレート無線ベアラの少なくとも１つがサービスを受けたか否か；少なくとも１つの非保証ビットレート無線ベアラについての総推定データレートが総最大ビットレート値を超えていないか；各非保証ビットレート無線ベアラについて、優先ビットレートに達しているか否か；少なくとも１つの非保証ビットレート無線ベアラが前記期間中にサービスを受けたか否か、の一つまたはそれ以上に関する決定に準じたレート制御データを生成する。
2010525614.tif 000002
【特許請求の範囲】
【請求項１】
移動無線通信ネットワーク内で、移動無線通信装置から移動無線通信ネットワーク装置へと配信され、且つ、前記移動無線通信装置におけるＵＬリソース割り当てに、移動無線通信ネットワーク装置において複数の無線ベアラ間で使用されるスケジューリング情報を提供する方法であって、前記複数の無線ベアラの各々は、優先ビットレートを有する一方、保証ビットレート無線ベアラまたは非保証ビットレート無線ベアラを含み、
該方法が、
前記移動無線通信装置において、前記複数の無線ベアラの各々について一定期間に伝送される平均ビットレートを推定するステップと、
各保証ビットレート無線ベアラについて、最大ビットレートに達しているか否か；
各保証ビットレート無線ベアラについて、優先ビットレートに達しているか否か；
前記期間中に、前記保証ビットレート無線ベアラの少なくとも１つが利用されているか否か；
少なくとも１つの非保証ビットレート無線ベアラについての総推定データレートが総最大ビットレート値を超えていないか；
各非保証ビットレート無線ベアラについて、優先ビットレートに達しているか否か；および
少なくとも１つの非保証ビットレート無線ベアラが前記期間中に利用されているか否か、
のうち１つそれ以上に関する決定に応じて、レート制御データを生成するステップと、
前記レート制御データを前記スケジューリング情報に含ませるステップを含むことを特徴とする方法。
【請求項２】
前記移動無線通信ネットワーク装置がｅＮＢを含んで成ることを特徴とする請求項１に記載の方法。 
【請求項３】
前記複数の無線ベアラが非保証ビットレートベアラを含むことを特徴とする請求項１または２に記載の方法。
【請求項４】
前記レート制御データがレート制御フラグを含んで成ることを特徴とする請求項１，２，３のいずれか１項に記載の方法。
【請求項５】
前記期間が伝送時間間隔（ＴＴＩ）の数を参照することにより定義されることを特徴とする請求１〜４のいずれか１項に記載の方法。
【請求項６】
データレートの測定値が伝送時間間隔（ＴＴＩ）ごとに更新されることを特徴とする、請求項５記載の方法。
【請求項７】
前記期間がネットワークを介して設定可能であることを特徴とする、請求項１〜６のいずれか１項に記載の方法。
【請求項８】
前記期間が移動無線通信装置において計算されることを特徴とする、請求項１〜６のいずれか１項に記載の方法。
【請求項９】
前記期間が各無線ベアラを基準として設定されることを特徴とする、請求項７または８に記載の方法。
【請求項１０】
バッファ占有率の通知がレート制御データと共に含まれることを特徴とする、請求項１〜９のいずれか１項に記載の方法。
【請求項１１】
前記スケジューリング情報が物理アップリンク制御チャネルによって伝達されるビット上にマッピングされることを特徴とする、請求項１〜１０のいずれか１項に記載の方法。
【請求項１２】
前記スケジューリング情報がMACトランスポートブロック内で伝送されるように構成されていることを特徴とする、請求項７〜１０のいずれか１項に記載の方法。
【請求項１３】
移動無線通信ネットワーク内で移動無線通信ネットワーク装置へ配信され、且つ、前記移動無線通信装置におけるＵＬリソース割り当てに、移動無線通信ネットワーク装置において複数の無線ベアラ間で使用されるスケジューリング情報を配信するように構成された移動無線通信装置であって、前記複数の無線ベアラの各々が優先ビットレートを有すると共に、保証ビットレート無線ベアラまたは非保証ビットレート無線ベアラから成り、前記移動無線通信装置は、前記複数の無線ベアラの各々について一定期間に伝送される平均ビットレートを推定するように構成されており、該装置は、
各保証ビットレート無線ベアラについて、最大ビットレートに達しているか否か；
各保証ビットレート無線ベアラについて、優先ビットレートに達しているか否か；
前記期間中に前記保証ビットレート無線ベアラの少なくとも１つが利用されているか否か；
少なくとも１つの非保証ビットレート無線ベアラについての総推定データレートが総最大ビットレート値を超えていないか；
各非保証ビットレート無線ベアラについて、優先ビットレートに達しているか否か；および
少なくとも１つの非保証ビットレート無線ベアラが前記期間中に利用されているか否か、のうち１つそれ以上に関する決定に準じたレート制御データを生成するための手段を備えており、
該装置は前記スケジューリング情報の中に前記生成されたレート制御データを含ませるように構成されていることを特徴とする移動無線通信装置。
【請求項１４】
前記無線ベアラの中に非保証ビットレート無線ベアラが含まれることを特徴とする、請求項１３記載の装置。
【請求項１５】
前記レート制御データがレート制御フラグを含んで成ることを特徴とする、請求項１３又は１４記載の装置。
【請求項１６】
前記データレートの測定値が伝送期間間隔（ＴＴＩ）の数によって定義されることを特徴とする、請求項１３、１４、又は１５記載の装置。
【請求項１７】
前記期間を計算するように構成されていることを特徴とする、請求項１３〜１６のいずれか１項に記載の装置。
【請求項１８】
バッファ占有率の報告を前記レート制御データと共に含むように構成されていることを特徴とする、請求項１４〜１７のいずれか１項に記載の装置。
【請求項１９】
前記スケジューリング情報が物理アップリンク制御チャネルによって伝達されるビット上にマッピングされるように構成されていることを特徴とする、請求項１３〜１８のいずれか１項に記載の装置。
【請求項２０】
前記スケジューリング情報がＭＡＣトランスポートブロック内で伝送されるように構成されていることを特徴とする、請求項１３〜１８のいずれか１項に記載の装置。
【請求項２１】
移動無線通信ネットワーク内で移動無線通信装置からスケジューリング情報を受信する移動無線通信ネットワーク装置であって、該ネットワーク装置が前記移動無線通信装置において複数の無線ベアラ間でＵＬリソースの割当てを行うように構成されており、各無線ベアラが優先ビットレートを有し、該ネットワーク装置は、前記レート制御データがスケジューリング情報に含まれている場合に前記移動無線通信装置からレート制御データを受信するように構成されていることを特徴とするネットワーク装置。
【請求項２２】
ｅＮＢを含んで成ることを特徴とする、請求項２１記載のネットワーク装置。
【請求項２３】
非保証ビットレート無線ベアラを含むことを特徴とする、請求項２１記載のネットワーク装置。
【請求項２４】
レート制御フラグの形式で前記レート制御データを受信するように構成されていることを特徴とする、請求項２１記載のネットワーク装置。
【請求項２５】
請求項１３〜２０のいずれか１項に記載の移動無線通信装置を少なくとも１つと、請求項２１〜２４のいずれか１項に記載の移動無線通信ネットワーク装置を少なくとも１つ含む、移動無線通信システム。
【請求項２６】
スケジューリング情報を受信するための受信手段と、
各移動無線通信装置において、レート制御データを決定するべく各無線ベアラに含まれる優先ビットレートを参照してＵＬリソースの割当てをスケジュールするためのスケジュール手段を備える、移動無線通信ネットワーク装置。
【発明の詳細な説明】
【技術分野】
【０００１】
本発明は、移動無線通信ネットワーク内においてスケジューリング情報を提供する方法、および該ネットワークで使用されるように構成されている移動無線通信装置および移動無線通信ネットワーク装置に関する。
【背景技術】
【０００２】
使用中の移動無線通信装置ハンドセットの総数が増え、それに対応してハンドセットの機能性レベルが高くなるに従って、送受信するデータの品質と量といったネットワーク関連の問題、および／または過負荷状態によるサービス能力に関する運営面の問題が特に重要性を増して来ている。
【０００３】
ネットワーク内に存在し得る各種のセル、無線ベアラ、ハンドセット装置の間で無線リソースの割当てを行うための種々の機構が周知となっている。
【０００４】
例えば、３ＧＰＰでのＬＴＥ標準化プロセスとの関連において、ＵＬ(Up Link)リソースの割当ては、ｅＮｏｂｅＢ（ｅＮＢ）側で行うということで合意が成されている。つまり、ｅＮＢがセル内の各ＵＥにリソースを割り当てることになる。このようにｅＮＢから付与されるリソースは、ある伝送時間間隔（ＴＴＩ：Transmission Timing Interval）期間に送信可能なビット数を示すデータを含むことがある。このようなリソースは、無線ベアラ毎に付与されるのではなくＵＥ毎に付与される。
【０００５】
あるＵＥにそのリソースキャパシティが付与されると、このＵＬリソースを設定された無線ベアラの間で割当てる必要がある。これは「レート制御」アルゴリズムによって達成される。レート制御アルゴリズムによって、各ＵＬ無線ベアラ（ＲＢ）からＴＴＩを基準にいくつのビットを伝送するかが決定される。このアルゴリズムは、割当てられたリソースキャパシティの他に、各無線ベアラ（ＲＢ）のサービスの質（ＱｏＳ）のパラメータも使用することができる。
【０００６】
また、ＵＥ装置の各々についてｅＮＢにおいて達成するべきＵＬリソースの割当てを助けるために、ｅＮＢに送ることのできるデータを計算するようにＵＥを構成する必要があると考えられる。
【０００７】
しかしながら、ＵＬシグナリングに関するオーバヘッド問題が、このようなシナリオに関連して発生し、不都合な制限を加えることとなる。
【発明の概要】
【発明が解決しようとする課題】
【０００８】
本発明は、スケジューリング情報を提供する方法、およびそれに関連する通信装置を提供することを求めるものであり、このような方法および装置に関連して利点を与えるものである。
【０００９】
本発明は特に、シグナリングのオーバヘッドと、ネットワークにおいて十分な情報伝送との双方を効果的に両立させることができるスケジューリング情報メカニズムを求めるものである。
【課題を解決するための手段】
【００１０】
本発明の第一態様によれば、移動無線通信ネットワーク内で、移動無線通信装置から移動無線通信ネットワーク装置へと配信され、且つ、前記移動無線通信装置におけるＵＬリソース割り当てに、移動無線通信ネットワーク装置において複数の無線ベアラ間で使用されるスケジューリング情報を提供する方法であって、
前記複数の無線ベアラの各々が優先ビットレートを有し、保証ビットレート無線ベアラまたは非保証ビットレート無線ベアラから成り、
該方法が、
前記移動無線通信装置において、前記複数の無線ベアラについて一定期間に伝送される平均ビットレートを推定するステップと、
各保証ビットレート無線ベアラについて、最大ビットレートに達しているか否か；
各保証ビットレート無線ベアラについて、優先ビットレートに達しているか否か；
前記期間内に前記保証ビットレート無線ベアラの少なくとも１つが利用されているか否か；
少なくとも１つの非保証ビットレート無線ベアラについての総推定データレートが総最大ビットレート値を超えていないか；
各非保証ビットレート無線ベアラについて、優先ビットレートに達しているか否か；および
少なくとも１つの非保証ビットレート無線ベアラが前記期間中に利用されているか否か、のうち１つそれ以上に関する決定に応じて、レート制御データを生成するステップと、
前記レート制御データを前記スケジューリング情報に含ませるステップを含むことを特徴とする方法が提供される。
【００１１】
本発明は以下に述べるようにｅＮＢ等の移動無線通信ネットワーク装置へのスケジューリング情報をサポートすることができる。また、異なるユーザ間でＵＬリソースを割当てるために十分な情報をｅＮＢスケジューラに提供しつつＵＬシグナリングに関するオーバヘッドを削減する働きをする。
【００１２】
従って、移動無線通信ネットワーク装置はｅＮＢから構成するのが有利である。  
【００１３】
さらに、上記の期間は伝送時間間隔（ＴＴＩ）の数を参照して定義することができる。
【００１４】
さらに有利な特長として、基準判断と同様に（すなわちスライドウィンドウ原理による判断）、データレート測定値を伝送時間間隔毎に有効に更新できることがある。
【００１５】
本方法は、前記期間をネットワークを介して設定するように、あるいは移動無線通信装置において好ましくはアクティブＵＬベアラの構成に基づいて計算するように構成することができる。
【００１６】
また、前記期間は各無線ベアラを基準として構成することができる。
【００１７】
具体的な一実施態様では、バッファ占有率データをレート制御データと共に含ませることができ、下記の少なくとも１つを含むようにすることができる：
全ベアラについての総バッファ占有率；
保証ビットレートベアラのみについてのバッファ占有率;
非保証ビットレートベアラのみについてのバッファ占有率;
保証ビットレートベアラについてのバッファ占有率と非保証ビットレートベアラについてのバッファ占有率;
割当てられた優先ビットレートを達成していない最優先保証ビットレートベアラのバッファ占有率;
割当てられた優先ビットレートを達成していない最低優先度の非保証ビットレートベアラのバッファ占有率;
前記期間において割当てられた優先ビットレートを達成していない最低優先度の非保証ビットレートベアラのバッファ占有率;
割当てられた最大ビットレートを達成している最優先非保証ビットレートベアラのバッファ占有率；
割当てられた最低ビットレートを達成している最低優先度の非保証ビットレートベアラのバッファ占有率。
【００１８】
当然ながら、バッファ占有率データは上記の１つまたはそれ以上に関する通知を組み合わせたものとすることができる。
【００１９】
具体的な一実施態様では、物理アップリンク制御チャネルによって伝達されるビット上にスケジューリング情報をマッピングすることができる。
【００２０】
代替的に、スケジューリング情報をＭＡＣトランスポートブロックの中で伝送しても良い。
【００２１】
本発明の別の態様によると、移動無線通信ネットワーク内で移動無線通信ネットワーク装置へ配信され、該移動無線通信装置において複数の無線ベアラ間でＵＬリソースの割当てを行うために移動無線通信ネットワーク装置において使用されるスケジューリング情報を配信するように構成された移動無線通信装置が提供される。本発明の移動無線通信装置は、前記複数の無線ベアラの各々が優先ビットレートを有すると共に、保証ビットレー無線ベアラまたは非保証ビットレート無線ベアラを含んで成り、該移動無線通信装置は、前記複数の無線ベアラの各々について一定期間に伝送される平均ビットレートを推定するように構成されており、該装置が、
各保証ビットレート無線ベアラについて、最大ビットレートに達しているか否か；
各保証ビットレート無線ベアラについて、優先ビットレートに達しているか否か；
前記期間内に前記保証ビットレート無線ベアラの１つが利用されているか否か；
少なくとも１つの非保証ビットレート無線ベアラについての総推定データレートが総最大ビットレート値を超えていないか；
各非保証ビットレート無線ベアラについて、優先ビットレートに達しているか否か；および
少なくとも１つの非保証ビットレート無線ベアラが前記期間中に利用されているか否か、のうち１つそれ以上に関する決定に応じたレート制御データを生成するための手段を備え、
該移動無線通装置が前記スケジューリング情報の中に前記生成されたレート制御データを含ませるように構成されていることを特徴とする。
【００２２】
上述のように、前記無線ベアラには非保証ビットレート無線ベアラが含まれ、レート制御データはレート制御フラグから構成することができる。
【００２３】
また、前記期間は伝送時間間隔の数によって定義することができ、さらに本発明の装置は前記期間が伝送時間間隔毎に更新されるように構成することができる。
【００２４】
一実施態様では、好ましくはアクティブＵＬベアラの構成に基づいて前記期間を計算するように移動無線通信装置を構成することができる。
【００２５】
ただし、前記期間は特に無線ベアラ毎に構成することができる。
【００２６】
また、移動無線通信装置はレート制御データの中にバッファ占有率データを含ませるように構成することもできる。
【００２７】
上述のように、バッファ占有率データは下記の少なくとも１つから構成される：
全ベアラについての総バッファ占有率；
保証ビットレートベアラのみについてのバッファ占有率;
非保証ビットレートベアラのみについてのバッファ占有率;
保証ビットレートベアラについてのバッファ占有率と非保証ビットレートベアラについてのバッファ占有率;
割当てられた優先ビットレートを達成していない最優先保証ビットレートベアラのバッファ占有率;
割当てられた優先ビットレートを達成していない最低優先度の非保証ビットレートベアラのバッファ占有率;
前記期間において割当てられた優先ビットレートを達成していない最低優先度の非保証ビットレートベアラのバッファ占有率;
割当てられた最大ビットレートを達成している最優先非保証ビットレートベアラのバッファ占有率；
割当てられた最低ビットレートを達成している最低優先度の非保証ビットレートベアラのバッファ占有率。
【００２８】
さらに、本発明の装置は、スケジューリング情報を物理アップリンク制御チャネルによって伝達されるビット上にマッピングするように構成することができる。
【００２９】
上に代替案として述べたように、本発明の装置は、スケジューリング情報をＭＡＣトランスポートブロック内で伝送するように構成することができる。
【００３０】
本発明のさらに別の態様によると、移動無線通信ネットワーク内で移動無線通信装置からスケジューリング情報を受信する移動無線通信ネットワーク装置が提供される。該ネットワーク装置は、前記移動無線通信装置における複数の無線ベアラ間のＵＬリソースの割当てを行うように構成されており、各無線ベアラが優先ビットレートを有し、少なくとも１つの無線ベアラが保証無線ビットレートベアラから構成される。該ネットワーク装置は、前記移動無線通信装置からレート制御データを受信するように構成されており、前記レート制御データはスケジューリング情報に含まれており、該スケジューリング情報は物理アップリンク制御チャネルによって伝達されるビット上にマッピングしても良いし、あるいはＭＡＣトランスポートブロックの中で伝送することもできる。
【００３１】
この移動無線通信ネットワーク装置は好ましくはｅＮＢから構成される。
【００３２】
さらに、無線ベアラは非保証ビットレート無線ベアラと保証ビットレートベアラを含むことができる。
【００３３】
また、ネットワーク装置はレート制御データをレート制御フラグの形で受信するように構成される。
【００３４】
本発明のさらに別の特長によると、上述のような移動無線通信装置を少なくとも１つと、移動無線通信ネットワーク装置を少なくとも１つ含む移動無線通信システムが提供される。
【００３５】
従って、以上の説明から理解されるように、本発明特有の特長は、移動無線通信装置が伝送時間間隔（ＴＴＩ）毎に、各無線ベアラについてレート制御アルゴリズムの状態に従い、そしてその後必要に応じてレート制御フラグを生成するように構成できる点にある。このレート制御フラグは、移動無線通信ネットワーク装置機能を効果的に測定することを含み、この機能により、移動無線通信装置においてＵＬリソースの割当てを行う点で、最も適切な決定をすることができ、ｅＮＢを補助することができる。
【００３６】
上述のように、移動無線通信装置によってスケジューリング情報を計算する方法、およびスケジューリング情報の中の通知特性は、ネットワークを介して適宜制御することができる。
【図面の簡単な説明】
【００３７】
【図１】本発明の一実施形態による３ビットレート制御フラグのマッピングを示す表である。
【図２】本発明の一実施形態による２ビットレート制御フラグのマッピングの一例を示す表である。
【図３】本発明を用いた移動無線通信装置の機能要素を示す略構成図である。
【図４】本発明の一実施形態によるＭＡＣトランスポートブロックと、それに関連するレート制御フラグおよびバッファ占有フィールドを示す概略図である。
【発明を実施するための形態】
【００３８】
以下の記載からさらに理解されるように、本発明はスケジューリング情報（ＳＩ）の計算とそれに続く通知のメカニズムを提供するものである。ＳＩは各ＵＥによって計算され、ネットワークに通知されて、セル内部でその責任においてＵＬ伝送のスケジューリングを行うのを助ける。ＳＩの通知については一般に知られているが、その管理方法は技術ごとに異なることが分かっている。本発明は、ＳＩ送信によって生じるシグナリングに関するオーバヘッドを削減すると同時に、ネットワークがユーザ間にＵＬリソースを効率的に割当てできるように十分な情報を提供できるという有利な機能を提供するものである。
【００３９】
本発明の提案するスキームによると、許容レベルのオーバヘッドを達成することができ、それによってオペレータはＳＩ通知特性の設定、すなわち情報を柔軟にマッピングするだけでなく各ＵＥにより計算の方法まで設定することが可能となる。
【００４０】
ネットワークによってリソースの割当てが許可されると、ＬＴＥ端末等の移動無線通信装置は、設定された異なる無線ベアラ（ＲＢ）の間でリソース（すなわちＴＴＩ毎に送信できるビット数）を共有することになる。各無線ベアラはそのＱｏＳパラメータによって特徴づけられる。
【００４１】
一般に、各優先待ち行列、又は、ＬＴＥを使用したシナリオ中のＳＡＥベアラを利用している間、ＵＥが考慮しなければならない最小ビットレートを含む優先ビットレート（ＰＢＲ）を各無線ベアラ（ＲＢ）は備える必要がある。また、ＲＢは保証ビットレート（ＧＢＲ）ベアラと非ＧＢＲベアラの２種類に分けられる。ＧＢＲベアラは例えば実時間サービスと関連するベアラに使用されるものである。ＧＢＲベアラはそのＰＢＲ値に加えて最大ビットレート値（ＭＢＲ）とも関連づけられる。非ＧＢＲベアラの方はＭＢＲ値と関連付けられることはないが、非ＧＢＲベアラ一組として総最大ビットレート（ＡＭＢＲ）と関連付けらえることはあり得る。
【００４２】
実施形態の説明から明らかなように、レート制御フラグの計算は本発明の重要な部分を形成するものであり、下記のように達成することができる。
【００４３】
ｎ個のデータベアラが確立されているとした場合、ｊ番目のＴＴＩに関して、ＵＥは下記の制約の下に、無線ベアラ＃１についてＸ１，ｊビット、無線ベアラ＃２についてＸ２，ｊビット、．．．無線ベアラ＃ｎについてＸｎ，ｊビットを伝送している。
【数１】
2010525614.tif 000003
【００４４】
なお、ベアラＩについてＴＴＩｊで伝送されるビット数Ｘｉ，ｊは、レート制御アルゴリズムによって決定される。
【００４５】
Ｄｊはｊ番目のＴＴＩ期間にＵＥによって伝送することのできるビット数（すなわち、認可割当て）を示す。この値は（ｅＮｏｄｅＢの決定に基づいて）ＴＴＩ毎に変化し得る。
【００４６】
ここに提案するメカニズムは、この特定の例においては下記のステップを含む。
【００４７】
第一に、ＵＥは長さＴｃｏｍｂの時間帯に各無線ベアラについて伝送された平均ビットレートを推定する。Ｔｃｏｍｂは多数のＴＴＩを含むことができ、これらの数値はスライドウィンドウを用いてＴＴＩ毎に更新することができる。こうして、ＵＥは各ベアラについて伝送された平均ビットレートの推定値をＴＴＩベースで維持している。
【００４８】
Ｔｃｏｍｂは、ネットワークで設定しても良いし、ＵＥのアクティブなＵＬベアラの構成に基づいてＵＥが算出しても良い。
【００４９】
また、Ｔｃｏｍｂはベアラ毎に設定することもできる。この場合、ｉがＲＢ＃ｉを指すとするとＴｃｏｍｂ，ｊとして特定することができる。ただし、ここでは全てのＲＢに対して一つのＴｃｏｍｂを想定した。
【００５０】
このステップの結果、ベアラ毎の推定ビットレート一組が得られ、Ｒｉ，ｊとして特定されると共に、上記の数式を元に下記のように計算することができる。
【数２】
2010525614.tif 000004
【００５１】
第二に、移動無線通信装置であるユーザ装置（ＵＥ）は、例えば次の６つからなる特定の判断基準について確認を行うように構成されている。
【００５２】
基準１：    各ＧＢＲベアラについて、ＭＢＲ値に達しているか否かを確認する。この基準は下式として表すことができる。
【数３】
2010525614.tif 000005
【００５３】
上式において、ΔＭＢＲ，ｉはネットワークから報知することのできる定常偏差であり、ＭＢＲｉの比率として表される。このパラメータは固定しても良いし、ネットワークから報知しても良い。
【００５４】
基準２：    各ＧＢＲベアラについて、ＰＢＲが達成されているか否か確認する。この基準は下式として表される。
【数４】
2010525614.tif 000006
【００５５】
基準３：      Ｔｃｏｍｂ期間の間にＧＢＲベアラの少なくとも１つがサービスを受けたか否かを確認する。
【００５６】
基準４：    ＡＭＢＲ値と関連する一群の非ＧＢＲベアラの各々について、総推定データ転送率が該ＡＭＢＲ値を超えたか否かを確認する。
【数５】
2010525614.tif 000007
【００５７】
上式においてΔＡＭＢＲｉはネットワークから報知し得る定常偏差であり、ＡＭＢＲの比率として表される。
【００５８】
基準５：    各非ＧＢＲベアラについて、基準３と同様にＰＢＲが達成されているか否かを確認する。この基準は下式で表現することができる。
【数６】
2010525614.tif 000008
【００５９】
基準６：    １Ｔｃｏｍｂ期間中に少なくとも１つの非ＧＢＲベアラがサービスを受けなかったか否かを確認する。すなわち、ＵＥは非ＧＢＲベアラのスターベーション（不存在）を検出する。
【００６０】
ＭＢＲ、ＡＭＢＲおよびＰＢＲに加えて、優先ラベルを各ベアラと関連付けても良い。優先ラベル次元を導入するためには基準１〜６をさらに強化することも考えられる。言うまでもなく、上に挙げた基準が全てというわけでなく、ステップ３について他の基準を考慮する場合もある。
【００６１】
次に、上記のような基準確認法に基づいて、レート制御フラグの計算が行われる。
【００６２】
図１に戻ると、３ビットレート制御フラグのマッピングを示す表が示されており、レート制御フラグの各々が上記の基準と関連している。
【００６３】
よって、この表はレート制御フラグを３ビットで表したものであり、それらが各種基準を満足しているか否かに基づいて決定される。
【００６４】
上にその概略を示した表に示すように、上記基準のうち３つが保証ビットレートＲＢに対応するのに対し、残りの３つが非保証ビットレートＲＢと対応している。
【００６５】
ここから明らかなように、０００から０１１のレート制御フラグ値がＵＥからネットワークに通知された場合、これは特定の期間内に優先ビットレート値が確認されなかったこと、従って、ＵＥ装置はさらに大きなリソースの割当てを必要としていることを示すものと解釈することができる。
【００６６】
０１１のレート制御フラグを特に参照すると、ここでは保証ビットレートＲＢについて優先ビットレートが実際に確認されているものの、非保証ビットレートＲＢについては確認されていない。
【００６７】
このような指標があると、移動無線通信ネットワーク装置のスケジューラは次に、そのレート制御フラグのソースである特定のＵＥに対してさらにリソースを割当てる必要があるかについて決定するように構成することができる。
【００６８】
上記から明らかなように、３ビットレート制御フラグを用いるだけでも、ＵＬオーバヘッドを有利に制限することが可能となる。
【００６９】
次に、図２を参照すると、２ビットレート制御フラグを生成しこれを使用することでＵＬオーバヘッドのさらなる低減を達成することができる。
【００７０】
図２に示すように、図１を参照して先に説明した無線ベアラおよび非保証ビットレート無線ベアラに関する保証ビットレートについての３つの個別の基準ではなく２つの基準を使用することで、これを達成することができる。
【００７１】
この方法の利点は、使用する信号ビットの数を少なくしても、ｅＮｏｄｅＢスケジューラがＧＢＲおよび非ＧＢＲベアラに関するＵＥの送信状況を把握し得る点にある。そのため、スケジューラの決定いかんによってＵＥレート制御に全てのＲＢに対してＱｏＳを保証させるか、あるいはＧＢＲ−ＲＢに対してのみＱｏＳを保証させるかが決まる。これは一般に、ＵＥが重負荷のセルに収容されている場合に言えることである。
【００７２】
もう一つの利点は、このフィールドに固定ビット数が割当てられた場合でも、ネットワークは報告の意味を制御する可能性を有することである。ｅＮｏｄｅＢの側で実行されるＵＬスケジューリングアルゴリズムは、独自の解となる得るため、様々な可能性の中でＵＥが考慮する必要のあるのはどのマッピングかについて、ネットワークからＵＥに対して指示する場合がある。例えば、レート制御フラグフィールドに３ビットが割当てられた場合、異なるマッピングが定義される可能性がある。その一例が上に挙げた例であるが、他のマッピングテーブルが定義されこともあり得る。この場合、ｅＮｏｄｅＢはレート制御フラグの計算においてどのマッピングテーブルを使用するかを指示する制御パラメータをＵＥに送る。この例では４種類のテーブルを考慮しているため、このレート制御フラグは、上記のように２ビットを必要とすることになる。
【００７３】
本発明はまた、バッファ占有率データを生成してレート制御フラグと共に伝送するように構成することもできる。
【００７４】
バッファ占有率を決める方法はネットワークを通じてシグナリングできるようにするのが有利である。移動無線通信装置は、必要に応じてそのバッファ占有率報告メカニズムを設定することができ、下記のいずれか１つまたはそれ以上を図３に示すように通知することができる。
全てのベアラについての総バッファ占有率（すなわち、図３の例ではＢＯ＝Ｂ１＋Ｂ２＋Ｂ３＋Ｂ４）；
ＧＢＲベアラのみについてのバッファ占有率（すなわち、図３の例ではＢＯ＝Ｂ１＋Ｂ２）；
非ＧＢＲベアラのみについてのバッファ占有率（すなわち、図３の例ではＢＯ＝Ｂ３＋Ｂ４）；
ＧＢＲベアラのバッファ占有率と非ＧＢＲベアラのバッファ占有率（２つ別個のフィールドにおいて）、すなわち図３の例では（ＢＯ＿ＧＢＲ＝Ｂｌ＋Ｂ２とＢＯ＿ｎｏｎＧＢＲ＝Ｂ３＋Ｂ４）；
割当てられたＰＢＲをＴｃｏｍｂの期間に達成していない、ＢＯ＿ＧＢＲ＿ＨＰとして特定される最も優先度の高いＧＢＲベアラのバッファ占有率；
割当てられたＰＢＲをＴｃｏｍｂの期間に達成していない、ＢＯ＿ｎｏｎＧＢＲ＿ＨＰとして特定される最も優先度の高い非ＧＢＲベアラのバッファ占有率；
割当てられたＰＢＲをＴｃｏｍｂの期間に達成していない、ＢＯ＿ＧＢＲ＿ＬＰとして特定される最も優先度の低いＧＢＲベアラのバッファ占有率；
割当てられたＰＢＲをＴｃｏｍｂの期間に達成していない、ＢＯ＿ｎｏｎＧＢＲ＿ＬＰとして特定される最も優先度の低い非ＧＢＲベアラのバッファ占有率  
割当てられたＭＢＲをＴｃｏｍｂの期間に達成している、ＢＯＪＶ１ＢＲ＿ＨＰとして特定される最も優先度の高いＧＢＲベアラのバッファ占有率；
割当てられたＭＢＲをＴｃｏｍｂの期間に達成している、ＢＯ＿ＭＢＲ＿ＬＰとして特定される最も優先度の低いＧＢＲベアラのバッファ占有率；および必要に応じて以上に定義したバッファ占有率を組み合わせた報告。
【００７５】
さらにＦｉｇ．３を参照すると、４つのＵＬ−ＲＢを採用した移動無線通信装置の構造が概略的に示されている。
【００７６】
移動無線通信装置１０はＭＡＣ層機能部１２を含み、ＭＡＣ層機能部１２は、レート制御ブロック１４と、多重化およびＭＡＣヘッダ追加部１６と、ハイブリッド自動再送要求（ＨＡＲＱ）部１８とから成る。
【００７７】
ＭＡＣ１２は、優先ビットレート、最大ビットレート、総最大ビットレートと言ったＱｏＳパラメータを２０においてレート制御部１４に導入することができ、また必要なＳＩ２２がレート制御部１４から出力されてｅＮＢ（不図示）等の移動無線通信ネットワーク装置に配信されるように機能する。
【００７８】
このような機能性を達成するために、移動無線通信装置１０はまた、バッファ占有率Ｂ１〜Ｂ４をそれぞれ有する無線リンク制御要素２４〜３０を備えている。
【００７９】
２つの無線リンク制御要素  ２４，２６が保証ビットレートＲＢ３２から供給されるのに対し、２つの無線リンク制御要素２８，３０は非保証ビットレートＲＢ３４から供給される。
【００８０】
無線リンク制御要素２４−３０から導かれるバッファ占有率は、図示のようにレート制御部１４に送られて、上述のようにスケジューリング情報２２の中に「バッファ占有率」（ＢＯ）として含まれる。
【００８１】
ＳＩフィールドとＢＯフィールドがＵＥによって計算されると、次にｅＮｏｄｅＢに通知される。第一の選択肢として、ＰＵＣＣＨ物理チャネルによって伝送されるビットにそれらのフィールドをマッピングすることがある。
【００８２】
ＰＵＣＣＨは１ｍｓのサブフレーム構造に付随するため、チャネルの符号化の後にサブフレームにおいてＭｂｉｔｓを送信することができ、（チャネルの符号化の前に）Ｋｂｉｔｓビットを割当てて、ネットワークに対してＳＩおよびＢＯフィールドを通知することができる。
【００８３】
ＰＵＣＣＨチャネルによる伝送の代替策として、ＢＯフィールドとＲＣＦフィールドをＭＡＣトランスポートブロックの中で伝送することもできる。その一例を示したのが図４である。
【００８４】
また、ＲＣＦフィールドをＰＵＣＣＨで伝送し、ＢＯをＭＡＣ−ＰＤＵにおいて伝送することもできる。
【００８５】
次に示すのは、報告メカニズムを構成するためにＵＥが採用することのできるパラメータの一覧である。
【００８６】
【表１】
2010525614.tif 000009
【００８７】
上述のように、上に示した表１はベアラごとにｅＮｏｄｅＢによって設定してＵＥに伝送できるパラメータの（非包括的な）リストである。
【００８８】
これらのパラメータを伝送するために、次の３つの選択肢が考えられる。
【００８９】
第一に、対象となるセルにおいてＲＲＣ接続が設定されている各ＵＥについて同様の構成とすることができる。この場合、ＢＣＣＨチャネルで「スケジュールメカニズム」の構成パラメータを同報することが提案される。
【００９０】
第二に、各ＵＥを例えばそのベアラ構造（すなわちどのＱｏＳパラメータを用いていくつのＵＬベアラが構成されているか）に基づいて個別に構成することができる。その場合ＵＥはＲＲＣ接続の確立と同時に構成することができる。ＤＣＣＨ論理チャネルを使用することができ、ネットワークは１つまたはそれ以上の新しいＲＢが追加された後、あるいは１つまたはそれ以上のＲＢがＵＬ伝送用に除去された後に各ＵＥを再構成することができる。
【００９１】
第三に、各ＵＥはＢＣＣＨチャネルを用いてネットワークから同報されたデフォルト構成を使用することができる。その後、ネットワーク／ｅＮＢはＲＲＣ接続がＲＢの数やＱｏＳ特性に基づいて確立された各ＵＥを再構成することができる。この目的でｅＮｏｄｅＢはＤＣＣＨチャネルを使用することができる。
【００９２】
本出願は２００７年４月２７日に出願された英国出願第０７０８２０３．５号の優先権を主張するものであり、前記出願の全文を参照して本明細書に組み入れる。
【図１】
2010525614.tif 000010
【図２】
2010525614.tif 000011
【図３】
2010525614.tif 000012
【図４】
2010525614.tif 000013
【国際調査報告】
2010525614.tif 000014